(57)【要約】【課題】クランパからターンテーブルを安定的に引き離し、かつ、小型化が図れるディスクローディング装置を提供する。【解決手段】ディスクローディング装置１０のクランプ手段３３は、ターンテーブル３３Ａと、クランパ３３Ｂと、クランパホルダ５３の回動範囲を規制するサポータ５０とを有し、サポータ５０が、クランパホルダ５３の下面に連結され、サポータ５０の先端５０Ｂが筐体２１内に設けたトッププレート（固定部材）２１Ｂの外方に延びている。【選択図】  図１１
2004342163.tif 000002
【特許請求の範囲】
【請求項１】
ディスクを載置可能な載置面を備えるとともに記録及び／又は再生装置の筐体に支持されたトレイと、
前記トレイが前記筐体に収容される位置において前記ディスクを所定高さに保持するクランプ手段とを備え、
前記クランプ手段が、前記ディスクの円心部を下方から持ち上げるターンテーブルと、前記筐体内に設けられたクランパホルダを介して前記筐体に支持されているとともに、前記筐体に対して前記クランパホルダが回動することにより上昇又は下降して前記ターンテーブルに離反又は吸着するクランパと、前記クランパホルダの回動範囲を規制する規制手段とを有するディスクローディング装置であって、
前記規制手段として、前記クランパホルダに連結されたサポータを有し、前記サポータが前記筐体内に設けた固定部材に当接されることを特徴とするディスクローディング装置。
【請求項２】
前記サポータが断面略クランク状であることを特徴とする請求項１に記載したディスクローディング装置。
【請求項３】
前記サポータが弾性を有していることを特徴とする請求項１に記載したディスクローディング装置。
【請求項４】
前記ディスクはカートリッジに収容されていることを特徴とする請求項１に記載したディスクローディング装置。
【発明の詳細な説明】
【０００１】
【発明の属する技術分野】
本発明はディスクローディング装置に関する。
【０００２】
【従来の技術】
図１に示すように、例えばＤＶＤ−ＲＡＭ等のディスクがカートリッジに収容されたカートリッジ本体１００は、ディスク１０１における情報記録面（図１中、下面）を保護するために、ディスク１０１がカートリッジ１０２に収容されている。
カートリッジ１０２は、略中空薄箱状に形成されているとともに、中央部からディスク１０１の径方向に沿って設けられた開口１０３がシャッタ１０４により閉鎖されていて、シャッタ１０４を開放することによりディスク１０１の情報記録面が外部に露呈可能となっている。
【０００３】
このようなカートリッジ本体１００におけるディスク１０１の情報記録面にアクセスして情報を再生（読み取り）あるいは記録（書き込み）する記録再生装置の一般的な構成を模式的に図２に示す（例えば特許文献１参照）。
図２に示す記録再生装置２００は、筐体２０１と、筐体２０１に内蔵されたピックアップ装置２０２と、ディスク１０１を回転駆動させる駆動部２０３と、カートリッジディスクローディング装置３００とを含んで構成されている。
【０００４】
カートリッジディスクローディング装置３００は、筐体２０１に支持されてカートリッジ本体１００のカートリッジ１０２を載置可能なトレイ３０１と、トレイ３０１を筐体２０１に対して図２中、左右方向に進退させる進退手段（図示せず）と、トレイ３０１を筐体２０１に収容した状態でトレイ３０１からカートリッジ１０１を所定高さに上昇させる上昇手段３０３と、トレイ３０１を筐体２０１に収容した状態でディスク１０１の円心部を厚み方向に挟持して保持するクランプ手段３０４とを有している。
【０００５】
このトレイ３０１は、アクセス位置から交換位置まで、例えばラック＆ピニオンを介したモータ等の進退手段により進退可能とされている。
ここで、アクセス位置とは、トレイ３０１が筐体２０１に収容された状態でピックアップ装置２０２がディスク１０１の情報記録面に対して、再生装置であれば再生を行う位置であり、記録装置であれば記録を行う位置であり、記録再生装置であれば記録及び再生を行う位置（図２（Ｃ）の状態）である。一方、交換位置とは、使用者がカートリッジ本体１００を交換できるようにトレイ３０１が筐体２０１から突出した状態である（図２（Ａ）の状態）。
以下、交換位置に向く方向を「前部」、アクセス位置に向く方向を「後部」と称する。
【０００６】
上昇手段３０３は、トレイ３０１がアクセス位置に配置された状態でトレイ３０１の裏面側となるように配置されたリフト部材３０６を有している。
リフト部材３０６は略板状とされ、筐体２０１内の後部側（図２中、左側）を中心として前部側（図２中、右側）が上下するように回動し、これによりトレイ３０１に対して近接離反する。そして、前述したピックアップ装置２０２およびモータ等の駆動部２０３はリフト部材３０６に支持されている。
【０００７】
図３および図４にクランプ手段３０４を示す。これらの図において、右側が後部側、左側が前部側となっている。
クランプ手段３０４は、モータ等の駆動部２０３の回転軸に取り付けられた皿状のターンテーブル３０４Ａと、固定部材３１２の天井面にクランパホルダ３１０を介して取り付けられたクランパ３０４Ｂとを有している。これらのターンテーブル３０４Ａおよびクランパ３０４Ｂは、一方にマグネットが内蔵されているとともに、他方に磁性体金属を内蔵し、互いに吸着・離反を反復することによりディスク１０１の円心部を厚み方向に挟持可能となっている。
【０００８】
クランパ３０４Ｂを支持するクランパホルダ３１０は、クランパ３０４Ｂを上下移動させるために、一端３１０Ｂ側のみが固定部材３１２に対して上下回動自在にされている。そして、クランパホルダ３１０は、一端３１０Ａ側の支点を軸にして他端３１０Ｂ側を上下方向に回動させることで、クランパ３０４Ｂを上下方向に移動させる。
【０００９】
このクランプ手段３０４は、トレイ３０１がアクセス位置に移動した際に、上昇手段３０３のリフト部材３０６が回動することによりトレイ３０１に向かってターンテーブル３０４Ａを移動させ、これによりターンテーブル３０４Ａがディスク１０１の円心部を上方に押し上げる。
そして、図４に示すように、ターンテーブル３０４Ａがディスク１０１を所定高さまで押し上げると同時にクランパホルダ３１０は回動軸（図示せず）を中心として、図示しない回動機構によりターンテーブル側に回動する事でクランパ３０４Ｂとターンテーブル３０４Ａを徐々に接近される。クランパ３０４Ｂとターンテーブル３０４Ａは磁力により相互吸着し、ディスク１０１を保持する。この後、クランパホルダ３１０はターンテーブル３０４Ａに吸着停止したクランパ３０４Ｂを置き去りにさらに回動し、クランパホルダ３１０とクランパ３０４Ｂの間に回転可能なクリアランスを確保し、停止する。
なお、図３はカートリッジ本体１００がローディング可能な状態を示している。
【００１０】
ところで、図３および図４に示すように、クランパホルダ３１０の他端３１０Ｂは自由端になっている。そして、あらかじめクランパホルダ３１０の自由端３１０Ｂに係止部３１１が設けられていて、クランパホルダ３１０を回動させた際には断面略クランク状の係止部３１１を平坦な固定部材３１２に載せ（図４の状態）、クランパホルダ３１０の自由端３１０Ｂが固定部材３１２により支えられる。
【００１１】
図４はディスクローディング装置３００の記録再生の状態を示している。記録再生が終わった後、ディスク１０１の挟持を解放し、カートリッジ１０２を前後にローディングできるクリアランスを確保するために、ターンテーブル３０４Ａを下降させる。
この際、ターンテーブル３０４Ａとともにクランパ３０４Ｂが吸着力により下降し、クランパ３０４Ｂがクランパホルダ３１０に当接し、下降させようとする。
【００１２】
ところが、クランパホルダ３１０の係止部３１１を固定部材３１２に載せて、クランパホルダ３１０の自由端３１０Ｂ側を固定部材３１２で支えているため、クランパ３０４Ｂからターンテーブル３０４Ａを引き剥がす際の荷重が固定部材３１２で安定して受け止められ、クランパ３０４Ｂの下降を制止する。
そして、ターンテーブル３０４Ａをさらに下降させるとターンテーブル３０４Ａがクランパ３０４Ｂから確実に引き剥がされる。その後、クランパホルダ３１０は図示しない回動機構により初期位置に戻るため、クランパホルダ３１０に追従してクランパ３０４Ｂが上昇し、図３の状態に戻る。
【００１３】
図３に示すように、クランパホルダ３１０とともにクランパ３０４Ｂが上昇して、クランパ３０４Ｂの下端部をカートリッジ本体１００の上方まで上昇させ、カートリッジ本体１００をローディングする際にクランパ３０４Ｂに干渉しないように、ローディングスペースを確保する。
【００１４】
【特許文献１】
特開平９−９１８２１号公報
【００１５】
【発明が解決しようとする課題】
しかしながら、前述した図３および図４のローディング装置３００は、クランパホルダ３１０の自由端３１０Ｂ側には係止部３１１が設けられているので、ローディングスペースを確保する位置までクランパホルダ３１０を上昇させると、係止部３１１が上方に大きく突出することになる。
このため、係止部３１１が突出しないように筐体２０１を形成せざるを得ず、ディスクローディング装置３００の小型化に限界がある。
【００１６】
なお、クランパホルダの自由端を支える方法として図５および図６の構成も知られている。
この構成は、固定部材３１２に断面略クランク状の係止部３１４を設けてクランパホルダ３１０の自由端３１０Ｂを固定部材３１２の係止部３１４に載せ、固定部材３１２の係止部３１４でクランパホルダ３１０の自由端３１０Ｂを支えるものである。
【００１７】
この構成では、クランパホルダ３１０の自由端３１０Ｂを固定部材３１２の係止部３１４に載せて、クランパホルダ３１０を固定部材３１２の係止部３１４で支えることで、クランパ３０４Ｂからターンテーブル３０４Ａを引き剥がす際の荷重を固定部材３１２で安定して受け止め、クランパ３０４Ｂの下降を制止する。
そして、この構成では、図６に示すように、クランパホルダ３１０とともにクランパ３０４Ｂが上昇して、クランパ３０４Ｂの下端部をカートリッジ本体１００の上方まで上昇させ、カートリッジ本体１００をローディングする際にクランパ３０４Ｂに干渉しないように、ローディングスペースを確保する。
【００１８】
ところで、図５および図６のディスクローディング装置３００は、固定部材３１２に断面略クランク状の係止片３１４が下向きに設けられているので、小型化を図るために筐体２０１の天井面を下げると、固定部材３１２も下方に下げざるを得ない。
しかしながら、図５および図６のディスクローディング装置３００は、下向きに設けられた係止部３１４とカートリッジ本体１００との間に必要なクリアランスを確保する必要があるため、小型化に限界がある。
【００１９】
本発明が解決しようとする課題としては、前述した従来技術において生じる、クランパからターンテーブルを引き剥がす際の荷重を安定して受け止め、かつ、カートリッジディスクローディング装置の小型化を図るという構造を両立させ難いという問題が一例として挙げられる。
【００２０】
【課題を解決するための手段】
前述した目的を達成するために、請求項１に記載した発明は、ディスクを載置可能な載置面を備えるとともに記録及び／又は再生装置の筐体に支持されたトレイと、前記トレイが前記筐体に収容される位置において前記ディスクを所定高さに保持するクランプ手段とを備え、前記クランプ手段が、前記ディスクの円心部を下方から持ち上げるターンテーブルと、前記筐体内に設けられたクランパホルダを介して前記筐体に支持されているとともに、前記筐体に対して前記クランパホルダが回動することにより上昇又は下降して前記ターンテーブルに離反又は吸着するクランパと、前記クランパホルダの回動範囲を規制する規制手段とを有するディスクローディング装置であって、前記規制手段として、前記クランパホルダに連結されたサポータを有し、前記サポータが前記筐体内に設けた固定部材に当接されることを特徴としている。
【００２１】
【発明の実施の形態】
（実施の形態）
本発明は、カートリッジ本体のディスクにおける情報記録面に再生および記録を行う記録再生装置にのみ適用可能なものではなく、再生のみ行う再生装置又は記録を行う記録装置にも適用可能である。
【００２２】
また、本発明のサポータとしては、例えばクランク状に形成しておけばよいが、クランパホルダおよび固定部材の形状あるいは位置関係を適宜設定しておくことにより平板状に形成しておいてもよい。
【００２３】
さらに、本発明おいて、サポータを弾性変形可能な板材で形成することで、サポータを筐体に当接した位置に静止させた状態で、クランパホルダをさらに上昇させることが可能になる。よって、サポータを筐体から突出させずに、クランパをクランパホルダで所定位置まで上昇させることができる。
【００２４】
以上のような本発明の更なる具体例を図面に基づく実施例として詳細に説明する。
【００２５】
（実施例）
図７および図８には、本発明の実施例である記録再生装置２０が示されている。すなわち、図７は記録再生装置２０と、カートリッジ１２にディスク１１が収容されたカートリッジ本体１０とを示す全体斜視図、図８は記録再生装置２０の分解斜視図である。
【００２６】
カートリッジ本体１０は、カートリッジ１２の側端面に設けられたレバー（図示せず）を操作することによりシャッタ１３が開閉し、シャッタ１３を開放させることによりカートリッジ本体１０におけるディスク１１の情報記録面が外部に露呈する。
そして、記録再生装置２０は、カートリッジ本体１０におけるディスク１１の情報記録面にアクセスして情報を再生（読み取り）あるいは記録（書き込み）する。
【００２７】
図７に示すように、記録再生装置２０は、カバー２０Ａに収容された筐体２１を有している。筐体２１は、互いに略箱状に組み合わせられるローディングベース２１Ａおよび固定部材であるトッププレート２１Ｂを有する。クランパホルダ５３は、サポータ５０との反対端をトッププレート２１Ｂへ取り付けられ、ターンテーブル３３Ａに対し、吸着／離脱可能な方向へ図示せぬ回動軸を中心として回動自在に構成されている。クランパホルダ２１Ｂには、後述するクランプ手段３３のクランパ３３Ｂが備えられている。
【００２８】
また、図８に示すように、記録再生装置２０は、筐体２１に内蔵されたピックアップ装置２２と、ディスク１１を回転駆動させるモータ等の駆動部２３と、ディスクローディング装置３０とを含んで構成されている。
【００２９】
ディスクローディング装置３０は、筐体２１に支持されてカートリッジ本体１０が面接触状態で載置可能な複数の載置面３１Ａを備えるトレイ３１を備え、カートリッジ本体１０をトレイ３１の載置面３１Ａから上昇手段３２であるリフト部材により所定高さに上昇させるとともに、クランプ手段３３によりカートリッジ本体１０のディスク１１を厚み方向に挟持して保持する。
【００３０】
このディスクローディング装置３０は、筐体２１に内蔵されたモータに回転駆動されるピニオンギヤがトレイ３１に取り付けられたラックに噛合していて、モータを駆動することにより、アクセス位置から交換位置までトレイ３１を移動させるとともに、アクセス位置においてカートリッジ本体１０をトレイ３１の載置面３１Ａから所定高さに上昇させ、かつ、カートリッジ本体１０のカートリッジ１２の内壁面に対して接触しない位置までディスク１１を上昇させて保持することにより、ピックアップ装置２２に対してディスク１１の情報記録面を配置するためのものである。
【００３１】
ここで、アクセス位置とは、トレイ３１が筐体２１に収容された状態でピックアップ装置２２がディスク１１の情報記録面に対して、再生装置であれば再生を行う位置であり、記録装置であれば記録を行う位置であり、記録再生装置であれば記録及び再生を行う位置である。一方、交換位置とは、使用者がカートリッジ本体１０を交換できるようにトレイ３１が筐体２１から突出した状態である。
以下、交換位置に向く方向を「前部」、アクセス位置に向く方向を「後部」と称する。
【００３２】
図８に示すように、上昇手段３２は、略板状に形成されたリフト部材３２Ａの略中央部に設けられた開口部の縁部に駆動部２３が取り付けられている。
リフト部材３２Ａは、筐体２１内部の後部側（奥側）において、トレイ３１の進退方向に対して交差する方向に延びる支軸を中心として回動することにより前部側がトレイ３１の裏面に対して近接離反する。
【００３３】
図９〜図１１にも示すように、クランプ手段３３は、従来と同じように、駆動部２３の回転軸に取り付けられた皿状のターンテーブル３３Ａと、クランパホルダ５３を介して取り付けられたクランパ３３Ｂとを有している。
これらのターンテーブル３３Ａおよびクランパ３３Ｂは、一方にマグネットが内蔵されているとともに、他方が磁性体金属とされ、互いに吸着・離反を反復することによりディスク１１を厚み方向に挟持可能となっている。
【００３４】
そして、クランプ手段３３を構成するクランパホルダ５３の先端部５３Ａには、クランパ３３Ｂの外周に沿って湾曲状のサポータ（規制手段）５０が配置され、円弧状に形成されたサポータ５０の基端部（両端）５０Ａが、一例としてビス５１でクランパホルダ５３に取り付けられている。
【００３５】
クランパホルダ５３の回動範囲を規制するサポータ５０の先端には、トッププレート２１Ｂに係止可能な係止部５２が設けられている。サポータ５０の先端に係止部５２を設けることで、サポータ５０が断面略クランク状に形成されている。
このようなサポータ５０は、板状のバネ材からなり基端部（両端）５０Ａ（図７、図８も参照）が、一例としてビス５１でクランパホルダ５３に固定され、先端５０Ｂは自己バネ性によりクランパホルダ５３に圧接するように付勢されている。
【００３６】
このような実施例の動作を図９〜図１１を参照しながら説明する。
まず、交換位置において使用者がトレイ３１にカートリッジ本体１０を載置し、トレイ３１を筐体２１に押し込むか、あるいは進退スイッチを操作することによりトレイ３１をアクセス位置に移動させる（図９の状態）。
【００３７】
そして、カートリッジディスクローディング装置３０は、アクセス位置において、上昇手段３２により駆動部２３の回転軸に取り付けられたターンテーブル３３Ａをクランパ３３Ｂに接近させると同時に、クランパホルダ５３をターンテーブル３３Ａの方向へ回動させながらクランパ３３Ｂを磁力によりターンテーブル３３Ａに吸着させることによりカートリッジ１２の内壁面に対して接触しない位置にディスク１１を保持する（図１０の状態）。
このとき、クランパ３３Ｂはディスク１１に載った状態であり、クランパホルダ５３による拘束が若干緩和されて回転自在になっている。
【００３８】
また、サポータ５０の係止部５２は、トッププレート２１Ｂの上面に係止することでトッププレート２１Ｂに支えられ、これによりクランパホルダ５３が所定位置からターンテーブル３３Ａの方向に下降することを抑制する。
【００３９】
記録再生が終了した際に、ディスク１１を解放してカートリッジ本体１０が前後にローディング可能なクリアランスを確保すべく、ターンテーブル３３Ａが下降を開始すると、ターンテーブル３３Ａとともにクランパ３３Ｂが下降しようとする。
【００４０】
この状態で、ターンテーブル３３Ａがさらに下降すると、ターンテーブル３３Ａとクランパ３３Ｂとの吸着力によりクランパ３３Ｂに下方への引き下げ力（図１１中、矢印参照）がかかる。
このとき、クランパ３３Ｂはクランパホルダ５３の上面に当接するとともに、クランパホルダ５３がサポータ５０の上に密着し、サポータ５０の係止部５２はトッププレート２１Ｂの上面に当接している。よって、クランパ３３Ｂはクランパホルダ５３に当接した位置に保たれる。
これにより、クランパ３３Ｂからターンテーブル３３Ａを安定的に引き剥がすことができる。
【００４１】
ターンテーブル３３Ａをクランパ３３Ｂから引き剥がす際に、係止部５２をトッププレート２１Ｂに当接させることで、吸着力により下降しようとするクランパ３３Ｂをトッププレート２１Ｂで受けている。よって、クランパ３３Ｂからターンテーブル３３Ａを安定的に引き剥がすことができる。
なお、トッププレート２１Ｂに当接させることができるのであれば、例えば係止部５２をサポータ５０から真直ぐに延ばすことも可能である。
【００４２】
下降したターンテーブル３３Ａがクランパ３３Ｂから確実に離れた後、クランパホルダ５３を上昇させる。このとき、クランパ３３Ｂには下向きの吸着力がかかっていないので、クランパホルダ５３にかかる荷重はクランパ３３Ｂの重量（数グラム）のみとなり、クランパホルダ５３及びクランパ３５Ｂを無理なく上昇させることができる。
【００４３】
クランパホルダ５３の上昇とともに、サポータ５０も上昇する。これにより、サポータ５０の係止部５２が筐体２１の下部２１Ｄに当接する。この状態から、クランパホルダ５３を引き続き上昇させる。
この際に、サポータ５０は弾性変形して当接位置に静止する。よって、サポータ５０が当接した位置からはクランパホルダ５３が上昇し、クランパホルダ５３とともにクランパ３３Ｂが上昇する。
【００４４】
そして、クランパホルダ５３の上昇は、クランパホルダ５３が筐体２１の下部２１Ｄに当接するまで続き、この状態で、図９に示すようにクランパホルダ５３の上昇が停止する。よって、クランパホルダ５３が筐体２１の下部２１Ｄから上方に突出することはない。
【００４５】
このように、クランパホルダ５３を筐体２１の下部２１Ｄに当接するまで上昇することで、クランパ３３Ｂをクランパホルダ５３で所定位置まで上昇させることができる。これにより、クランパ３３Ｂの下端部をカートリッジ本体１０の上方まで上昇させて、カートリッジ本体１０をローディングさせる際にクランパ３３Ｂと干渉しないように、十分なローディングスペースを確保できる。
【００４６】
前述した実施例によれば、サポータ５０を弾性変形可能な板材で形成することで、サポータ５０を筐体２１の下部２１Ｄに当接した位置に静止させた状態で、クランパホルダ５３を上昇させることが可能になる。
よって、サポータ５０を筐体２１の下部２１Ｄから突出させずに、クランパ３３Ｂをクランパホルダ５３で所定位置まで上昇させることができる。
これにより、クランパホルダ５３およびサポータ５０を筐体２１の下部２１Ｄから突出させずに、十分なローディングスペースを確保できるので、装置を小型化できる。
【００４７】
その上、前述した実施例によれば、ターンテーブル３３Ａを下降させて、クランパ３３Ｂからターンテーブル３３Ａを引き剥がす際に、サポータ５０の係止部５２をトッププレート２１Ｂの上面に当接することで、クランパホルダ５３をトッププレート２１Ｂで支えることができる。
これにより、クランパ３３Ｂからターンテーブル３３Ａを安定的に引き剥がすことができる。
【００４８】
また、前述した実施例によれば、サポータ５０を断面略クランク状に形成することで、クランパホルダ５３の位置決め精度を高め、クランパ３３Ｂの位置決め精度もより高めることができる。
さらに、前述した第１実施例によれば、サポータ５０が弾性を有しているので、簡単な構成で、クランパホルダ５３を上昇させる際に、サポータ５０を筐体２１の下部２１Ｄに当接した位置に静止させた状態で、クランパホルダ５３を上昇させることが可能になる。
なお、前述した実施例ではディスクはカートリッジに収容されたディスクを用いたが、カートリッジに収容されていない、所謂ベアディスクをローディングするディスクローディング装置に適応可能であることは言うまでもない。
【図面の簡単な説明】
【図１】一般的なカートリッジ本体を示す斜視図である。
【図２】従来のカートリッジディスクローディング装置を示す模式断面図である。
【図３】従来のカートリッジディスクローディング装置の記録再生状態を示す断面図である。
【図４】従来のカートリッジディスクローディング装置のローディングスペースを確保した状態を示す断面図である。
【図５】従来の別の形式のカートリッジディスクローディング装置の記録再生状態を示す断面図である。
【図６】従来の別の形式のカートリッジディスクローディング装置のローディングスペースを確保した状態を示す断面図である。
【図７】本発明に係る実施例の全体構成を示す斜視図である。
【図８】本発明に係る実施例の全体構成を示す分解斜視図である。
【図９】本発明に係る実施例のカートリッジディスクローディング装置のアクセス位置を示す断面図である。
【図１０】本発明に係る実施例のアクセス状態を示す断面図である。
【図１１】本発明に係る実施例のクランパからターンテーブルを引き剥がす状態を示す断面図である。
【符号の説明】
１０  カートリッジ本体
１１  ディスク
１２  カートリッジ
２０  記録再生装置
２１  筐体
２１Ｂ  トッププレート（固定部材）
３０  ディスクローディング装置
３１  トレイ
３１Ａ  載置面
３３  クランプ手段
３３Ａ  ターンテーブル
３３Ｂ  クランパ
５０  サポータ（規制手段）
５０Ｂ  サポータの先端
５２  係止部
５３  クランパホルダ
【図１】
2004342163.tif 000003
【図２】
2004342163.tif 000004
【図３】
2004342163.tif 000005
【図４】
2004342163.tif 000006
【図５】
2004342163.tif 000007
【図６】
2004342163.tif 000008
【図７】
2004342163.tif 000009
【図８】
2004342163.tif 000010
【図９】
2004342163.tif 000011
【図１０】
2004342163.tif 000012
【図１１】
2004342163.tif 000013